【手続補正書】
【提出日】平成20年1月21日(2008.1.21)
【手続補正１】
【補正対象書類名】明細書
【補正対象項目名】特許請求の範囲
【補正方法】変更
【補正の内容】
【特許請求の範囲】
【請求項１】  
不純物の除去に用いられるフィルタ装置であって：
前記ハウジングに収容されるフルフローフィルタと；
前記ハウジングに収容されるバイパスフィルタと;
前記ハウジング内に収容され、上流端と下流端と圧力低減区域とを含むコンジットとを備え；
前記ハウジングと前記フルフローフィルタとは、前記フィルタ装置によって濾過されるべき流体全体が前記フルフローフィルタを通過するように配置され；
前記バイパスフィルタは、前記フルフローフィルタの下流に位置決めされ、そして前記圧力低減区域が前記フィルタ装置内に配置され、よって前記フィルタ装置が流体を含むとき前記バイパスフィルタ全面に圧力差を発生させ、よって前記フィルタ装置によって濾過されるべき、前記流体の所定の部分が前記バイパスフィルタを通過する；
フィルタ装置。
【請求項２】
前記圧力低減区域が、薄板オリフィス、または長半径ノズル、またはドールノズル、またはベンチュリを含む；
請求項１に記載のフィルタ装置。
【請求項３】
前記圧力低減区域が、ベンチュリを有する；
請求項２に記載のフィルタ装置。
【請求項４】
前記ベンチュリが、内径約２４．１ｍｍのスロートを有する；
請求項３に記載のフィルタ装置。
【請求項５】
少なくとも一つの通路が、前記コンジットの前記圧力低減区域の壁を通過する；
請求項３に記載のフィルタ装置。
【請求項６】
前記少なくとも一つの通路が、２つの通路であり；
前記２つの通路がそれぞれ約４．３から約４．６ｍｍの間の直径を有する；
請求項５に記載のフィルタ装置。
【請求項７】
前記コンジットの前記上流端と前記下流端の内径が、約１７．８から約３０．５ｍｍの間である；
請求項６に記載のフィルタ装置。
【請求項８】
前記コンジットの前記上流端と前記下流端の内径が、約２８．６ｍｍである；
請求項７に記載のフィルタ装置。
【請求項９】
流体に含まれる不純物の、濾過による除去に用いられるフィルタ装置であって：
ハウジングと;
フルフローフィルタと;
フルフローフィルタ支持体と;
フルフロー環状路と;
バイパスフィルタと;
バイパスフィルタ支持体と;
バイパス環状路と;
ベンチュリ形態の圧力低減区域を含むコンジットであって、前記ベンチュリのところで前記コンジットの壁を貫通する少なくとも一つの通路を含む前記コンジットとを同心関係で備え；
ａ．前記フィルタ装置により濾過されるべき流体が、前記ハウジングに流入し、前記フルフローフィルタを通過して、前記フルフロー環状路に流入し；そして、
ｂ．前記流体の所定の部分が前記バイパスフィルタを通過して引かれ、前記流体の残りの流体が前記コンジットの前記上流端に流入し；そして、
ｃ．前記バイパスフィルタを通過して引かれた前記流体が前記バイパス環状路に流入してから、前記少なくとも一つの通路を通り；そして、
ｄ．前記フルフロー環状路から前記コンジットへ直に入って通過する前記流体は、前記コンジットの前記ベンチュリを通過して流れ、前記バイパスフィルタ全面に差圧を生じさせ、よって、所定の量の流体が前記バイパスフィルタを通過するよう配置される；
フィルタ装置。
【請求項１０】
上端キャップを更に備え；
前記上端キャップは前記バイパスフィルタの上端に係合する；
請求項９に記載のフィルタ装置。
【請求項１１】
前記上端キャップが、Ｏ−リングシールにシール状態で係合するＯ−リング溝付きの、上端キャップシール部材を有する；
請求項１０に記載のフィルタ装置。
【請求項１２】
前記フィルタ装置が上端プレートを更に備え；
前記上端プレートが前記フルフローフィルタの上端に係合する、
請求項９に記載のフィルタ装置。
【請求項１３】
前記上端プレートが、Ｄ−リングシールとシール状態で係合可能なＤ−リングシール部材を有する；
請求項１２に記載のフィルタ装置。
【請求項１４】
グロメットシールと；
ベースプレートとを更に備え；
前記上端プレートが、内側リップと少なくとも二つの脚延長部とを更に有し；
前記内側リップが前記グロメットシールに係合し；
前記少なくとも二つの脚延長部は、前記ベースプレートを支持し、よって、前記少なくとも二つの脚延長部と前記ベースプレートとの間に複数の流路を形成する；
請求項１２に記載のフィルタ装置。
【請求項１５】
前記フィルタ装置がシールクリップを更に備え；
前記シールクリップが、前記グロメットシールに係合する；
請求項１４に記載のフィルタ装置。
【請求項１６】
フィルタ装置での使用に適するベースプレートであって：
螺合通路と；
少なくとも一つの入口ポートとを備え；
前記少なくとも一つの入口ポートが、前記螺合通路の壁を貫通する；
ベースプレート。
【請求項１７】
少なくとも一つのスロット領域を更に備え；
前記少なくとも一つの入口ポートが前記少なくとも一つのスロット領域内に位置決めされ；
前記少なくとも一つのスロット領域が前記螺合通路内に位置決めされる；
請求項１６に記載のベースプレート。
【請求項１８】
不純物の、濾過による除去に用いられるフィルタ装置であって：
ハウジングと；
前記ハウジングに収容されるフルフローフィルタと；
ベースプレートとを備え；
前記ハウジングと前記フルフローフィルタは、前記フィルタ装置によって濾過されるべき流体全体が前記フルフローフィルタを通過するように配置され；
前記ベースプレートは、螺合通路と少なくとも一つの入口ポートとを有し；
前記少なくとも一つの入口ポートは、前記螺合通路の壁を貫通し；
前記ベースプレートは、前記ハウジングと前記フルフローフィルタに関して位置決めされ、よって入口の流れが前記少なくとも一つの入口ポートを通過して流れ、そして前記フルフローフィルタを通過して流れる；
フィルタ装置。
【請求項１９】
フィルタに用いられるコンジットであって：
ａ．下端キャップを有する第１上流コンジット区域と；
ｂ．圧力低減区域を有する第２コンジット区域と；
ｃ．上端キャップを有する第３下流コンジット区域とを備え；
前記第１上流コンジット区域は、前記第２コンジット区域にシール状態で係止され、そして、前記第２コンジット区域は、前記第３下流コンジット区域にシール状態で係合され、よって前記第１上流コンジット区域へ入る流体が、前記第２コンジット区域と前記第３下流コンジット区域を通過する；
コンジット。
【請求項２０】
前記圧力低減区域が、ベンチュリの形態であり；
前記圧力低減区域が、前記ベンチュリの壁を貫通する少なくとも一つの通路を更に含む；
請求項１９に記載のコンジット。
【請求項２１】
前記少なくとも一つの通路は、約４．３から約４．６ｍｍの間の直径をそれぞれが有する２つの通路であり；
前記ベンチュリは、内径が約２４．１ｍｍのスロート有し；
そして、前記第１コンジット区域は、約２８．６ｍｍの内径を有する；
請求項２０に記載のコンジット。
【請求項２２】
ホーン区域を有する第４の区域を更に含み；
前記ホーン区域が、前記第３下流コンジット区域の下流にある；
請求項１９に記載のコンジット。
【請求項２３】
前記第１上流コンジット区域の上流端に接続される少なくとも二つの支持脚を更に備え；
前記少なくとも二つの支持脚が、複数の流路を形成する；
請求項１９に記載のコンジット。
【請求項２４】
前記下端キャップが、第１のＵ形チャネルを有し；
前記上端キャップが、第２のＵ形チャネルを有し；
バイパスフィルタが、前記第１のＵ形チャネルと前記第２のＵ形チャネル間で係止されることが可能な；
請求項１９に記載のコンジット。
【請求項２５】
請求項２４のコンジットを備え；
前記第１のＵ形チャネルと前記第２のＵ形チャネル間にシール状態で係止されるバイパスフィルタを更に備えた；
フィルタ装置。
【請求項２６】
流体に含まれる不純物を濾過により除去する濾過方法であって：
（ａ）フルフローフィルタとバイパスフィルタとを備える濾過を行う装置へ流体を導入することと；
（ｂ）前記フルフローフィルタにより前記流体の１００％を濾過することと；
（ｃ）前記バイパスフィルタ全面に差圧を発生させることとを含み；
よって、前記フルフローフィルタにより濾過された、前記流体の所定の部分が前記バイパスフィルタを通過して引かれ、よって前記流体の前記所定の部分を２度にわたり濾過する；
濾過方法。
【請求項２７】
前記差圧は、前記流体の所定の部分が前記フルフローフィルタを通過して、引き続き、圧力低減区域を含むコンジットを通過する結果として得られる；
請求項２６に記載の濾過方法。
【請求項２８】
前記圧力低減区域が、薄板オリフィス、または長半径ノズル、またはドールノズル、またはベンチュリを有する；
請求項２７に記載の濾過方法。
【請求項２９】
前記圧力低減区域が、ベンチュリを有する；
請求項２８に記載の濾過方法。
【請求項３０】
濾過する装置のハウジングをシールするためのアセンブリであって：
中央通路を有する上端プレートと；
内側リップと本体部とを有する第１シールと；
前記第１シールの前記本体部上に着座されるベースプレートと；
外側リップと内側溝とを有し、前記ベースプレートとシール状態で係合するシーミング蓋と；
前記内側溝内にシール状態で係合する第２シールとを備え；
前記内側リップが、前記中央通路とシール状態で係合する；
アセンブリ。
【請求項３１】
閉止端と開放端とを有するハウジングを更に備える；
請求項１に記載のフィルタ装置。